(57)【要約】【課題】フィルタリング面積を向上することで換気性能を向上させ、気密性能と遮音性能とフィルタ交換時期の目視確認が可能な機能を有する換気ユニットを提供する。【解決手段】本発明の換気ユニット（１０）は、建物に設けられた貫通孔に設置される換気ユニットであって、貫通孔（１）に嵌合され、通気経路部（１１ａ）を有する筒状の本体部（１１）と、この本体部（１１）と隙間が形成可能に設けられて、建物内部側に配置された蓋部（１２）と、本体部（１１）と蓋部（１２）との隙間を被覆する被覆部（１３）とを備え、被覆部（１３）は、連続気泡を有する多孔質材料からなる。【選択図】図１
2016148485.tif 000002
【特許請求の範囲】
【請求項１】
建物に設けられた貫通孔に設置される換気ユニットであって、
前記貫通孔に嵌合され、通気経路部を有する筒状の本体部と、
前記本体部と隙間が形成可能に設けられて、建物内部側に配置された蓋部と、
前記本体部と前記蓋部との隙間を被覆する被覆部とを備え、
前記被覆部は、連続気泡を有する多孔質材料からなる、換気ユニット。
【請求項２】
前記被覆部は、前記連続気泡による通気性と吸音性とを有する、請求項１に記載の換気ユニット。
【請求項３】
前記被覆部は、前記本体部の前記通気経路部を構成する室内側の外周縁と、前記蓋部の外周縁とを連結する、請求項１または２に記載の換気ユニット。
【請求項４】
前記被覆部は、ガラス繊維、岩綿、石綿、不織布及び発泡材料からなる群より選ばれた少なくとも一種の材料よりなる、請求項１〜３のいずれか１項に記載の換気ユニット。
【請求項５】
前記通気経路部の内部に配置されるフィルタをさらに備える、請求項１〜４のいずれか１項に記載の換気ユニット。
【発明の詳細な説明】
【技術分野】
【０００１】
本発明は、換気ユニットに関し、より特定的には、建物に設けられた貫通孔に設置される換気ユニットに関する。
【背景技術】
【０００２】
従来より、換気ユニットは、建物に設けられた貫通孔に設置されている。このような換気ユニットとして、例えば特許第５２６３４４５号（特許文献１）が挙げられる。この特許文献１に開示の換気ユニットは、図５に示すように、伸縮機構１１１とフィルタ１１２とを含む本体１１０と、この伸縮機構１１１によって開閉可能に取り付けられ、かつ本体１１０の開口を塞ぐことができるとともに本体１１０の開口とシャッター１２０との間に生じる吸気口１３０の適宜の一部を遮断するシャッター１２０とを備えている。
【先行技術文献】
【特許文献】
【０００３】
【特許文献１】特許第５２６３４４５号
【発明の概要】
【発明が解決しようとする課題】
【０００４】
上記特許文献１では、建物外部から空気が取り込まれる際に、埃等が建物内部に侵入することを防止するために、フィルタ１１２が設けられている。しかしながら、このフィルタ１１２は本体１１０の内部に配置されているため、フィルタリングを本体１１０の内部で行うと、フィルタリング面積には限界がある。また、フィルタ１１２は本体１１０の内部に配置されているため、交換時期がわかりにくく、換気性能を低下させてしまう。また、換気をする際に発生する音を遮音することが望ましい。
【０００５】
本発明は、上記問題点に鑑み、フィルタリング面積を向上することで換気性能を向上させ、気密性能と遮音性能とフィルタ交換時期の目視確認が可能な機能を有する換気ユニットを提供することを課題とする。
【課題を解決するための手段】
【０００６】
本発明の換気ユニットは、建物に設けられた貫通孔に設置される換気ユニットであって、貫通孔に嵌合され、通気経路部を有する筒状の本体部と、この本体部と隙間が形成可能に設けられて、建物内部側に配置された蓋部と、本体部と蓋部との隙間を被覆する被覆部とを備え、被覆部は、連続気泡を有する多孔質材料からなる。
【０００７】
本発明の換気ユニットにおいて好ましくは、被覆部は、連続気泡による通気性と吸音性とを有する。
【０００８】
本発明の換気ユニットにおいて好ましくは、被覆部は、本体部の通気経路部を構成する室内側の外周縁と、蓋部の外周縁とを連結する。
【０００９】
本発明の換気ユニットにおいて好ましくは、被覆部は、ガラス繊維、岩綿、石綿、不織布及び発泡材料からなる群より選ばれた少なくとも一種の材料よりなる。
【００１０】
本発明の換気ユニットにおいて好ましくは、通気経路部の内部に配置されるフィルタをさらに備えている。
【発明の効果】
【００１１】
本発明によれば、フィルタリング面積を向上することで換気性能を向上させ、気密性能と遮音性能とフィルタ交換時期の目視確認が可能な機能を有する換気ユニットを提供することができる。
【図面の簡単な説明】
【００１２】
【図１】本発明の実施の形態１における換気ユニットを模式的に示す断面図であり、本体部と蓋部との間に隙間がある状態を示す。
【図２】本発明の実施の形態１における換気ユニットを模式的に示す断面図であり、本体部と蓋部との間に隙間がない状態を示す。
【図３】本発明の実施の形態２における換気ユニットを模式的に示す断面図である。
【図４】本発明の実施の形態３における換気ユニットを模式的に示す断面図である。
【図５】特許文献１の換気ユニットを示す断面図である。
【発明を実施するための形態】
【００１３】
以下、図面に基づいて本発明の実施の形態を説明する。なお、以下の図面において同一または相当する部分には同一の参照符号を付しその説明は繰り返さない。
【００１４】
（実施の形態１）
図１及び図２を参照して、本発明の一実施形態の換気ユニットについて説明する。図１及び図２に示すように、本発明の実施の形態の換気ユニット１０は、建物に設けられた貫通孔１に設置される。なお、図１及び図２において、左側は建物内部（室内）側であり、右側は建物外部（室外）側に通じている。
【００１５】
図１及び図２に示すように、換気ユニット１０は、本体部１１と、蓋部１２と、被覆部１３と、調整部材１４と、受け部１５と、支持部１６とを備えている。
【００１６】
本体部１１は、建物の壁２に設けられた貫通孔１に嵌合される。本体部１１は、筒状の部材であって、内部の貫通孔は、建物の外部と内部との間で空気の移動が可能な通気経路部１１ａを構成する。なお、筒状は、中が空洞になっている形状であれば特に限定されず、円筒、角筒等を含む。
【００１７】
本実施の形態の本体部１１は、建物に形成された貫通孔１に沿って延びる延在部１１ｂと、この延在部１１ｂに連なり、かつ貫通孔１を構成する壁２の室内側の端部に沿って延出する鍔部１１ｃとを有している。
【００１８】
この本体部１１と隙間を設けて室内側に蓋部１２が配置されている。室外側から見て、蓋部１２は、通気経路部１１ａを蓋部１２に投影した全領域を含む。このため、図２に示すように、換気をしない場合には、蓋部１２は通気経路部１１ａ全体を覆う。
【００１９】
本体部１１及び蓋部１２は、空気を通さない部材で構成されている。具体的には、本体部１１及び蓋部１２は、金属、樹脂等の剛体部材で構成されていることが好ましい。
【００２０】
本体部１１と蓋部１２との隙間には、被覆部１３が設けられている。被覆部１３は、本体部１１と蓋部１２との隙間を被覆して、通気経路部１１ａ内の埃などを室内に流入することを防止する。被覆部１３は、被覆部１３が存在しない場合に比べて、本体部１１と蓋部１２との隙間が小さくなるような配置であれば特に限定されないが、本体部１１と蓋部１２との隙間がなくなるように配置されていることが好ましい。つまり、被覆部１３は、本体部１１と蓋部１２との隙間全体を被覆することが好ましい。本実施の形態では、被覆部１３は、筒状であって、周端縁の一方が蓋部１２に直接または別部材を介して取り付けられ、周端縁の他方が本体部１１に直接または別部材を介して取り付けられている。具体的には、被覆部１３は、本体部１１の通気経路部１１ａを構成する室内側の外周縁（本実施の形態では鍔部１１ｃの内周縁）と、蓋部１２の外周縁とを連結している。
【００２１】
本実施の形態では、被覆部１３は、本体部１１と蓋部１２とに接して設けられている。この配置は、被覆部１３が、本体部１１及び蓋部１２のそれぞれに係合されるように構成されることで実現される。なお、別部材を介して、本体部１１と蓋部１２との間に被覆部１３を配置してもよい。別部材としては、接着剤等の接続部材、被覆部１３を筒状の形状に維持するための枠体としての保持部材などが挙げられる。
【００２２】
被覆部１３は、連続気泡を有する多孔質材料からなり、多孔質材料は、連続気泡による通気性と吸音性とを有している。多孔質材料の連続気泡は、隙間において、空気の流路となる。被覆部１３は、多孔質材料の孔よりも大きなものをフィルタリングすることが可能である。
【００２３】
多孔質材料は、例えば、ガラス繊維、岩綿、石綿、不織布、不織布以外の布、発泡材料、細孔を有する紙などを用いることができ、ガラス繊維、岩綿、石綿、不織布及び発泡材料からなる群より選ばれた少なくとも一種の材料よりなることが好ましい。被覆部１３が不織布等の薄い材料である場合には、複数枚の多孔質材料が積層されていてもよい。
【００２４】
また、被覆部１３は、伸縮可能な部材であることが好ましい。この場合、本体部１１と蓋部１２との間の気密性が得られる。具体的には、換気ユニット１０は、図１のように本体部１１と蓋部１２との間に隙間がある状態から、図２のように本体部１１と蓋部１２との間に隙間がない状態に蓋部１２を移動させると、被覆部１３が折り畳めるように構成されてもよく、被覆部１３が圧縮されるように構成されてもよい。被覆部が折り畳めるような構成として、例えば、被覆部１３が不織布等の折り畳み可能な材料のみであることが挙げられる。折り畳める配置は、特に限定されず、例えば蛇腹状である。このような配置を実現するために、本実施の形態では、本体部１１と蓋部１２との隙間に、保持部材等が配置されておらず、不織布等からなる被覆部１３が、蓋部１２と本体部１１とに直接接しているか、または、接着剤によって蓋部１２と本体部１１とに接続されている。
【００２５】
蓋部１２の中心部には、通気経路部１１ａに沿って延び、蓋部１２の位置を調整する調整部材１４が設けられている。調整部材１４は、棒状である。この調整部材１４を受けるために、受け部１５が設けられている。調整部材１４は、受け部１５に沿って摺動可能である。調整部材１４と受け部１５とは、複数の所定位置で係合されることにより、係止される。受け部１５は、例えば、調整部材１４側に開口部を有し、断面視においてコ字状である。この受け部１５を本体部１１に固定するために、支持部１６が設けられている。支持部１６は、本体部１１の延在部１１ｂから、通気経路部１１ａの中心軸線に向けて延びている。支持部１６は、通気経路部１１ａの一部に位置するものであり、通気経路部１１ａを塞ぐことはない。支持部１６は、例えば放射状である。
【００２６】
続いて、本実施の形態の換気ユニット１０を建物の貫通孔１に取り付けた状態での使用方法について説明する。
【００２７】
図１に示すように、調整部材１４を受け部１５内において室内側に位置した状態で固定することにより、本体部１１と蓋部１２との間に隙間が形成される。この隙間には、多孔質材料の被覆部１３が配置されているので、本体部１１の通気経路部１１ａを介して流入した建物外部の空気は、被覆部１３で埃などがフィルタリングされる。被覆部１３は連続気泡を有するので、この連続気泡を通って、図１における矢印のように、フィルタリングされた空気が室内側へ流入される。また、図１における矢印のように、室内側の空気を通気経路部１１ａを介して室外側に流出させることもできる。そして、この換気によって生じる音（建物外部で発生している音を含む）は、被覆部１３の連続気泡で吸音することができる。つまり、被覆部１３の連続気泡は、本体部１１と蓋部１２との間に隙間が形成されている場合に発生する音を吸音する。
【００２８】
なお、調整部材１４を受け部１５内においてさらに室内側に移動させることで、蓋部１２と本体部１１との隙間が最大の配置、つまり蓋部１２と本体部１１との間隔が最も大きい配置にすることができる。
【００２９】
このように、調整部材１４により本体部１１と蓋部１２との隙間幅を調整することができるので、本実施の形態の換気ユニット１０は、換気量と遮音性能とのバランスを任意に調整することができる。
【００３０】
次に、図２に示すように、調整部材１４を受け部１５内において最も室外側に位置した状態で固定することにより、蓋部１２と本体部１１との間に隙間が形成されない。この場合、建物の内外で空気の移動がないので、換気はされない。
【００３１】
次に、換気ユニット１０を使用することで、汚れ等によって被覆部１３の交換が必要な場合には、以下のように行う。蓋部１２と被覆部１３とを本体部１１から取り外し、次いで、蓋部１２から被覆部１３を取り外す。そして、新しい被覆部１３を蓋部１２に取り付け、その状態で、本体部１１に取り付ける。この場合、本体部１１の延在部１１ｂの内部まで手を挿入しなくても、被覆部１３を交換することができる。
【００３２】
なお、被覆部１３の交換は、以下のように行ってもよい。蓋部１２を被覆部１３から取り外し、次いで、被覆部１３を本体部１１から取り外す。そして、新しい被覆部１３を本体部１１に取り付け、次いで、被覆部１３に蓋部１２を取り付ける。
【００３３】
以上説明したように、本実施の形態の換気ユニット１０は、建物に設けられた貫通孔１に設置される換気ユニットであって、貫通孔１に嵌合され、通気経路部１１ａを有する筒状の本体部１１と、本体部１１と隙間が形成可能に設けられて、建物内部側に配置された蓋部１２と、本体部１１と蓋部１２との隙間を被覆する被覆部１３とを備え、被覆部１３は、連続気泡を有する多孔質材料からなる。
【００３４】
本実施の形態の換気ユニット１０によれば、連続気泡を有する多孔質材料からなる被覆部１３が、本体部１１と蓋部１２との隙間を被覆している。被覆部１３が多孔質材料であるので、埃等が建物内部に侵入することを防止するためのフィルタリングの機能を有している。また、被覆部１３の連続気泡により、通気経路部１１ａを通った室外側の空気を室内に取り込むことができるとともに、通気経路部１１ａを通った室内側の空気を室外へ排出することができる。さらに、この被覆部１３は、本体部１１と蓋部１２との隙間、つまり室内側の隙間に配置されているので、本体部１１の内部である通気経路部１１ａの内径よりもフィルタリング面積を大きくすることができるので、換気性能を向上することができる。また、本体部１１と蓋部１２との隙間に多孔質材料からなる被覆部１３が配置されているので、気密性能を有する。また、連続気泡を有する多孔質材料からなる被覆部１３を用いているので、遮音性能を有する。また、被覆部１３は、本体部１１と蓋部１２との隙間に配置されているので、交換時期がわかりやすく、目視が可能な機能を有している。このため、フィルタリング性能が大幅に低下する前に被覆部１３を容易に交換することができるので、換気性能を向上することができる。
【００３５】
さらには、この被覆部１３は、本体部１１と蓋部１２との隙間、つまり室内側の隙間に配置されているので、本体部１１の内部（通気経路部１１ａ）から被覆部１３を取り出すような作業は不要であり、室内側に露出している被覆部１３を交換すればよい。このため、フィルタリングの機能を有する部材である被覆部１３の交換が容易である。
【００３６】
それに加えて、本実施の形態の換気ユニット１０は、以下の効果を有する。具体的には、被覆部１３は、本体部１１と蓋部１２との隙間に配置されているので、室内から被覆部１３を視認しやすい。このため、被覆部１３の交換を促すことができるので、被覆部１３のフィルタリング機能を維持できる。
【００３７】
また、本実施の形態の換気ユニット１０の被覆部１３は空気清浄フィルタの役割を担うため、本実施の形態の換気ユニット１０は、上記特許文献１のような通気経路部１１ａに設けられるフィルタを省略することもできる。このため、高い通気性能を維持しつつ、被覆部１３の交換が容易である。
【００３８】
本実施の形態の換気ユニット１０において好ましくは、被覆部１３は、連続気泡による通気性と吸音性とを有している。
【００３９】
本発明者は、連続気泡を有する多孔質材料を、空気を通さない部材間に配置した場合には、吸音効果が高まることに着目した。そして、換気ユニット１０の本体部１１と蓋部１２との隙間で音の粒子速度が高くなる（急激な圧力変化が生じる）現象を利用して、その隙間で効果的に吸音を行うため、連続気泡を有する多孔質材料からなる被覆部１３を配置することに本発明者は想到した。
【００４０】
詳細には、音の粒子速度が高くなる本体部１１と蓋部１２との隙間に連続気泡を有する多孔質材料からなる被覆部１３を設けているので、多孔質材料の内部を空気が通過した際に、摩擦によって音エネルギーが熱エネルギーとして吸収される。これにより、隙間透過音の粒子速度が抑制されるので、本体部１１と蓋部１２との隙間透過音を低減することができる。このため、本実施の形態の被覆部１３は、遮音性能を有している。また、多孔質材料は連続気泡を有しているので、透過音を遮音する部材である被覆部１３を隙間に設けていても、通気性を確保することができる。したがって、本実施の形態の換気ユニット１０は、遮音性及び通気性を両立することができる。
【００４１】
本実施の形態の換気ユニット１０は遮音性能を向上できるので、サイレンサ等を省略することができる。サイレンサを通気経路部１１ａに設ける場合には、サイレンサにより通気性能が低下するので、本実施の形態の換気ユニット１０は通気性能を向上することもできる。
【００４２】
本実施の形態の換気ユニット１０において好ましくは、被覆部１３は、本体部１１の通気経路部１１ａを構成する室内側の外周縁と、蓋部１２の外周縁とを連結する。これにより、通気経路部１１ａを広くすることができるので、通気性能を向上できる。
【００４３】
本実施の形態の換気ユニット１０において好ましくは、被覆部１３は、本体部１１と蓋部１２とに接するように設けられる。これにより、被覆部１３によって本体部１１と蓋部１２との隙間全体が被覆されている場合には、本体部１１と蓋部１２との気密性を高めるための弾性部材を省略することができる。
【００４４】
本実施の形態の換気ユニット１０において好ましくは、本体部１１と蓋部１２との隙間幅が調整可能に構成されている。これにより、隙間幅を適宜選択することによって、換気量と遮音性能とのバランスを任意に調整することができる。
【００４５】
本実施の形態の換気ユニット１０において好ましくは、被覆部１３は、ガラス繊維、岩綿、石綿、不織布及び発泡材料からなる群より選ばれた少なくとも一種の材料よりなる。
【００４６】
これらの材料は通気性と吸音性を有し、かつ本体部１１と蓋部１２との隙間を埋めるように配置しやすいので、遮音性及び通気性を両立する換気ユニット１０を容易に実現できる。
【００４７】
ここで、本実施の形態の換気ユニット１０は、構造を簡略化した図１及び図２を用いて説明したが、本発明の換気ユニットは、上記特許文献１のように、種々の部材をさらに備えていてもよく、本体部１１と蓋部１２との隙間を調整するための機構等を複雑にしてもよい。
【００４８】
（実施の形態２）
図３を参照して、実施の形態２の換気ユニット２０を説明する。実施の形態２の換気ユニット２０は、基本的には、実施の形態１の換気ユニット１０と同様の構成を備えているが、通気経路部１１ａの内部に配置されたフィルタ２１をさらに備えている点において異なる。
【００４９】
フィルタ２１は、通気経路部１１ａの延在方向（図３において左右方向）と交差（本実施の形態では直交）する方向（図３において上下方向）に延びるように設けられている。このフィルタ２１は、室外から通気経路部１１ａに流入した空気中の埃等をフィルタリングする。本実施の形態では、支持部１６は、フィルタ２１を支持する役割、すなわちフィルタ押さえ部としても用いられるが、支持部１６と別部材としてのフィルタ押さえ部がさらに配置されていてもよい。
【００５０】
図３のように本体部１１と蓋部１２との間に隙間がある状態から、本体部１１と蓋部１２との間に隙間がない状態に蓋部１２を移動させるときに、被覆部１３が蛇腹状に折り畳まれる場合には、被覆部１３は、埃等のフィルタリングの役割を担わずに、吸音材の役割を担うことが好ましい。なお、被覆部１３は、多孔質材料であるので、折り畳まれていない場合には、埃等をフィルタリングする機能を有する。換言すると、フィルタ２１は埃等をフィルタリングし、被覆部１３は吸音する。さらに換言すると、フィルタ２１は、埃等をフィルタリングするための材料で構成され、被覆部１３は吸音するための材料で構成される。このような被覆部１３を構成する材料として、１０Ｎ・ｓ／ｍ3以上の流れ抵抗を有する多孔質材料を用いることができる。なお、流れ抵抗とは、材料にある一定の流速空気を流したときの材料前後の圧力差により測定される値である。
【００５１】
以上説明したように、実施の形態２の換気ユニット２０のように、通気経路部１１ａの内部に配置されるフィルタ２１をさらに備えていてもよい。実施の形態２の換気ユニット２０は、埃等のフィルタリングの性能に優れる。また、被覆部１３の吸音性能を高めることもできるので、換気ユニット２０の遮音性能を高めることができる。
【００５２】
（実施の形態３）
図４を参照して、実施の形態３の換気ユニット３０を説明する。実施の形態３の換気ユニット３０は、基本的には、実施の形態１の換気ユニット１０と同様の構成を備えているが、遮断部材３１と通気部材３２とをさらに備えている点において異なる。
【００５３】
遮断部材３１は、通気経路部１１ａの内部に配置され、通気経路部１１ａの延在方向（図４において左右方向）と交差（本実施の形態では直交）する方向（図４において上下方向）に延びるように設けられている。遮断部材３１は、樹脂、金属等の空気を通さない部材であり、空気の流れを部分的に遮断して、通気経路部１１ａを通過する空気の面積を小さくする。
【００５４】
通気経路部１１ａにおいて遮断部材３１により空気の流れが遮断されていない領域に、通気部材３２が配置されている。つまり、通気部材３２において遮断部材３１と重なり合っていない狭い領域を空気が流れる。本実施の形態では、通気部材３２は、遮断部材３１の外周縁と通気経路部１１ａの内周縁との間に配置されている。つまり、本体部１１の中心軸線近傍には遮断部材３１が位置し、遮断部材３１の外周に通気部材３２が位置している。
【００５５】
通気部材３２は、連続気泡を有する多孔質材料からなる。通気部材３２を構成する多孔質材料は、例えば、ガラス繊維、岩綿、石綿、不織布、不織布以外の布、発泡材料、細孔を有する紙などを用いることができ、ガラス繊維、岩綿、石綿、不織布及び発泡材料からなる群より選ばれた少なくとも一種の材料よりなることが好ましい。
【００５６】
遮断部材３１及び通気部材３２は、例えば、円形の板状部材であり、中央に受け部１５等を挿入するための貫通孔が設けられている。遮断部材３１の半径よりも通気部材３２の半径が大きく（例えば８〜１２ｍｍ程度大きい）、遮断部材３１及び通気部材３２が積層されている。本実施の形態では、室内側から順に、通気部材３２、遮断部材３１、支持部１６が配置されている。
【００５７】
なお、遮断部材３１及び通気部材３２の形状、配置等は、特に限定されず、例えば、遮断部材３１にスリットが形成されており、そのスリットに通気部材３２が位置してもよい。
【００５８】
以上説明したように、実施の形態３の換気ユニット３０は、通気経路部１１ａの内部に配置され、空気の流れを部分的に遮断して、通気経路部１１ａを通過する空気の面積を小さくする遮断部材３１と、通気経路部１１ａにおいて遮断部材３１により空気の流れが遮断されていない領域に配置された通気部材３２とをさらに備え、通気部材３２は、連続気泡を有する多孔質材料からなる。
【００５９】
本発明者は、空気を通さない部材間の隙間が狭いほど、その隙間に多孔質材料を設置することによる遮音効果が向上することを見出した。本実施の形態では、遮断部材３１を通気経路部１１ａの内部に設けて通気経路部１１ａを通過する空気の面積、つまり隙間を小さくし、その隙間に多孔質材料からなる通気部材３２を配置しているので、通気部材３２の遮音効果を向上することができる。したがって、本実施の形態の換気ユニット３０は、遮音性能を向上することができる。
【００６０】
本実施の形態の換気ユニット３０において好ましくは、通気部材３２は、遮断部材３１の外周縁と通気経路部１１ａの内周縁との間に配置されている。これにより、通気経路部１１ａの中央に空気を通さない遮断部材３１が位置し、通気経路部１１ａの外周側に連続気泡によって空気を通す通気部材３２が位置する。この配置は、通気部材３２の遮音効果を向上できるとともに、通気性能を確保しやすい。
【００６１】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【００６２】
１  貫通孔、２  壁、１０，２０，３０  換気ユニット、１１  本体部、１１ａ  通気経路部、１１ｂ  延在部、１１ｃ  鍔部、１２  蓋部、１３  被覆部、１４  調整部材、１５  受け部、１６  支持部、２１  フィルタ、３１  遮断部材、３２  通気部材。
【図１】
2016148485.tif 000003
【図２】
2016148485.tif 000004
【図３】
2016148485.tif 000005
【図４】
2016148485.tif 000006
【図５】
2016148485.tif 000007